(57)【要約】  ユーザ機器（ＵＥ）のアップリンク送信モードを第１のアップリンク送信モードから第２のアップリンク送信モードに再構成するための第１のメッセージが送信される、ワイヤレス通信のための方法、装置およびコンピュータプログラム製品が提供される。さらに、第１のメッセージの送信後の移行期間の間に、２つ以上の第２のメッセージのうちの少なくとも１つがＵＥによって認識可能であることを保証するための再構成スキームが実施される。別の例では、ＵＥおよびｅＮＢが、ＵＥによって使用されるＳＲＳモードを再構成するための第１のメッセージをそれぞれ送信および受信するように備えられてもよい。そのような態様では、第１のメッセージはそれぞれ、物理ＵＥアンテナポートの数よりも多いＳＲＳ送信ポートの数を示すことができるフィールドの中で特定されるＳＲＳ送信ポートを決定するよう指示し、そのために使用されてもよい。【選択図】図７
2013546272.tif 000002
【特許請求の範囲】
【請求項１】
ワイヤレス通信の方法であって、
ユーザ機器（ＵＥ）のアップリンク送信モードを第１のアップリンク送信モードから第２のアップリンク送信モードに再構成するための第１のメッセージを送信することと、
前記第１のメッセージの送信後の移行期間の間に、２つ以上の第２のメッセージのうちの少なくとも１つが前記ＵＥによって認識可能であることを保証するための再構成スキームを実施することと
を備える、方法。
【請求項２】
前記２つ以上の第２のメッセージを送信することをさらに備え、
前記２つ以上の第２のメッセージのうちの１つは、前記再構成の前に前記ＵＥによって認識可能であり、前記２つ以上の第２のメッセージのうちの別のメッセージは、前記再構成の後で前記ＵＥによって認識可能である、
請求項１に記載の方法。
【請求項３】
前記第１のメッセージを送信することは、前記第１のメッセージをＵＥ固有の探索空間の中で送信することをさらに備え、
前記第２のメッセージを送信することは、前記第２のメッセージを共通探索空間の中で送信することをさらに備える、
請求項２に記載の方法。
【請求項４】
前記第１のアップリンク送信モードは、ＬＴＥ  Ｒｅｌ−８の動作可能なＵＥにアクセス可能であり、前記第２のアップリンク送信モードは、ＬＴＥ  Ｒｅｌ−１０の動作可能なＵＥにアクセス可能である、
請求項１に記載の方法。
【請求項５】
前記第１のアップリンク送信モードは、ＬＴＥ  Ｒｅｌ−８のＵＥと互換の単一アンテナポートモードである、
請求項１に記載の方法。
【請求項６】
前記第２のアップリンク送信モードは、ＬＴＥ  Ｒｅｌ−８のＵＥと互換ではない単一アンテナポートモードである、
請求項５に記載の方法。
【請求項７】
前記第２のアップリンク送信モードは、マルチアンテナポートモードである、
請求項５に記載の方法。
【請求項８】
前記再構成スキームを実施することは、
アップリンク再構成期間とダウンリンク再構成期間とを定義することであって、前記アップリンク再構成期間と前記ダウンリンク再構成期間とは、異なる時間に定義されることをさらに備える、
請求項５に記載の方法。
【請求項９】
前記アップリンク再構成期間の間に、ＵＥ固有の探索空間の中の第１のＤＣＩフォーマットのサイズは、前記再構成スキームの実施の一環として第２のＤＣＩフォーマットのサイズに変更され、
前記アップリンク再構成期間の間に、ＤＬ許可を示すために前記第２のＤＣＩフォーマットのサイズを使用することをさらに備える、
請求項８に記載の方法。
【請求項１０】
前記第２のアップリンク送信モードは、動的な非周期サウンディング基準信号トリガリングをサポートするように構成される、
請求項５に記載の方法。
【請求項１１】
ワイヤレス通信のための方法であって、
サウンディング基準信号（ＳＲＳ）モードを再構成するための第１のメッセージをユーザ機器（ＵＥ）に送信することと、
物理ＵＥアンテナポートの数よりも多いＳＲＳ送信ポートの数を示すことができるフィールドの中で特定されるＳＲＳ送信ポートを、前記第１のメッセージの中で示すことと
を備える、方法。
【請求項１２】
４つの物理ＵＥアンテナポートが存在する場合、示される前記ＳＲＳ送信ポートの数は、６に等しい、
請求項１１に記載の方法。
【請求項１３】
２つの物理ＵＥアンテナポートが存在する場合、示される前記ＳＲＳ送信ポートの数は、３に等しい、
請求項１１に記載の方法。
【請求項１４】
前記ＳＲＳモードは、非周期ＳＲＳまたは周期ＳＲＳのいずれかである、
請求項１１に記載の方法。
【請求項１５】
前記ＳＲＳモードは、単一のアンテナポートを使用する第１のアップリンク送信モード、または複数のアンテナポートを使用する第２のアップリンク送信モードのいずれかに関連する、
請求項１１に記載の方法。
【請求項１６】
ワイヤレス通信のための方法であって、
ＵＥによって使用されるＳＲＳモードを再構成するための第１のメッセージを受信することと、
物理ＵＥアンテナポートの数よりも多いＳＲＳ送信ポートの数を示すことができるフィールドの中で特定されるＳＲＳ送信ポートを、前記第１のメッセージの受信に応答して決定することと
を備える、方法。
【請求項１７】
４つの物理ＵＥアンテナポートが存在する場合、示される前記ＳＲＳ送信ポートの数は、６に等しい、
請求項１６に記載の方法。
【請求項１８】
２つの物理ＵＥアンテナポートが存在する場合、示される前記ＳＲＳ送信ポートの数は、３に等しい、
請求項１６に記載の方法。
【請求項１９】
前記ＳＲＳモードは、非周期ＳＲＳまたは周期ＳＲＳのいずれかである、
請求項１６に記載の方法。
【請求項２０】
前記ＳＲＳモードは、単一のアンテナポートを使用する第１のアップリンク送信モード、または複数のアンテナポートを使用する第２のアップリンク送信モードのいずれかに関連する、
請求項１６に記載の方法。
【請求項２１】
ワイヤレス通信のための装置であって、
ＵＥのアップリンク送信モードを第１のアップリンク送信モードから第２のアップリンク送信モードに再構成するための第１のメッセージを送信するための手段と、
前記第１のメッセージの送信後の移行期間の間に、２つ以上の第２のメッセージのうちの少なくとも１つが前記ＵＥによって認識可能であることを保証するための再構成スキームを実施するための手段と
を備える、装置。
【請求項２２】
前記２つ以上の第２のメッセージを送信するための手段をさらに備え、
前記２つ以上の第２のメッセージのうちの１つは、前記再構成の前に前記ＵＥによって認識可能であり、前記２つ以上の第２のメッセージのうちの別のメッセージは、前記再構成の後で前記ＵＥによって認識可能である、
請求項２１に記載の装置。
【請求項２３】
前記第１のメッセージを送信するための手段は、前記第１のメッセージをＵＥ固有の探索空間の中で送信するための手段をさらに備え、
前記第２のメッセージを送信するための手段は、前記第２のメッセージを共通探索空間の中で送信するための手段をさらに備える、
請求項２２に記載の装置。
【請求項２４】
前記第１のアップリンク送信モードは、ＬＴＥ  Ｒｅｌ−８の動作可能なＵＥにアクセス可能であり、前記第２のアップリンク送信モードはＬＴＥ  Ｒｅｌ−１０の動作可能なＵＥにアクセス可能である、
請求項２１に記載の装置。
【請求項２５】
前記第１のアップリンク送信モードは、ＬＴＥ  Ｒｅｌ−８のＵＥと互換の単一アンテナポートモードである、
請求項２１に記載の装置。
【請求項２６】
前記第２のアップリンク送信モードは、ＬＴＥ  Ｒｅｌ−８のＵＥと互換ではない単一アンテナポートモードである、
請求項２５に記載の装置。
【請求項２７】
前記第２のアップリンク送信モードはマルチアンテナポートモードである、
請求項２５に記載の装置。
【請求項２８】
再構成スキームを実施するための手段は、
アップリンク再構成期間とダウンリンク再構成期間とを定義するための手段をさらに備え、前記アップリンク再構成期間と前記ダウンリンク再構成期間とが異なる時間に定義される、
請求項２５に記載の装置。
【請求項２９】
前記アップリンク再構成期間の間に、ＵＥ固有の探索空間の中の第１のＤＣＩフォーマットのサイズは、前記再構成スキームの実施の一環として第２のＤＣＩフォーマットのサイズに変更され、
前記アップリンク再構成期間の間に、ＤＬ許可を示すために前記第２のＤＣＩフォーマットのサイズを使用するための手段をさらに備える、
請求項２８に記載の装置。
【請求項３０】
前記第２のアップリンク送信モードは、動的な非周期サウンディング基準信号トリガリングをサポートするように構成される、
請求項２５に記載の装置。
【請求項３１】
ワイヤレス通信のための装置であって、
ＳＲＳモードを再構成するための第１のメッセージをＵＥに送信するための手段と、
物理ＵＥアンテナポートの数よりも多いＳＲＳ送信ポートの数を示すことができるフィールドの中で特定されるＳＲＳ送信ポートを、前記第１のメッセージの中で示すための手段と
を備える、装置。
【請求項３２】
４つの物理ＵＥアンテナポートが存在する場合、示される前記ＳＲＳ送信ポートの数は６に等しい、
請求項３１に記載の装置。
【請求項３３】
２つの物理ＵＥアンテナポートが存在する場合、示される前記ＳＲＳ送信ポートの数は３に等しい、
請求項３１に記載の装置。
【請求項３４】
前記ＳＲＳモードは、非周期ＳＲＳまたは周期ＳＲＳのいずれかである、
請求項３１に記載の装置。
【請求項３５】
前記ＳＲＳモードは、単一のアンテナポートを使用する第１のアップリンク送信モード、または複数のアンテナポートを使用する第２のアップリンク送信モードのいずれかに関連する、
請求項３１に記載の装置。
【請求項３６】
ワイヤレス通信のための装置であって、
ＵＥによって使用されるＳＲＳモードを再構成するための第１のメッセージを受信するための手段と、
物理ＵＥアンテナポートの数よりも多いＳＲＳ送信ポートの数を示すことができるフィールドの中で特定されるＳＲＳ送信ポートを、前記第１のメッセージの受信に応答して決定するための手段と
を備える、装置。
【請求項３７】
４つの物理ＵＥアンテナポートが存在する場合、示される前記ＳＲＳ送信ポートの数は６に等しい、
請求項３６に記載の装置。
【請求項３８】
２つの物理ＵＥアンテナポートが存在する場合、示される前記ＳＲＳ送信ポートの数は３に等しい、
請求項３６に記載の装置。
【請求項３９】
前記ＳＲＳモードは、非周期ＳＲＳまたは周期ＳＲＳのいずれかである、
請求項３６に記載の装置。
【請求項４０】
前記ＳＲＳモードは、単一のアンテナポートを使用する第１のアップリンク送信モード、または複数のアンテナポートを使用する第２のアップリンク送信モードのいずれかに関連する、
請求項３６に記載の装置。
【請求項４１】
ユーザ機器（ＵＥ）のアップリンク送信モードを第１のアップリンク送信モードから第２のアップリンク送信モードに再構成するための第１のメッセージを送信し、
前記第１のメッセージの送信後の移行期間の間に、２つ以上の第２のメッセージのうちの少なくとも１つが前記ＵＥによって認識可能であることを保証するための再構成スキームを実施する
ためのコードを備えるコンピュータ可読媒体を備える、
コンピュータプログラム製品。
【請求項４２】
前記コンピュータ可読媒体は、
前記２つ以上の第２のメッセージを送信するためのコードをさらに備え、前記２つ以上の第２のメッセージのうちの１つは、前記再構成の前に前記ＵＥによって認識可能であり、前記２つ以上の第２のメッセージのうちの別のメッセージは、前記再構成の後で前記ＵＥによって認識可能である、
請求項４１に記載のコンピュータプログラム製品。
【請求項４３】
前記コンピュータ可読媒体は、
前記第１のメッセージをＵＥ固有の探索空間の中で送信し、
前記第２のメッセージを共通探索空間の中で送信するためのコードをさらに備える、
請求項４２に記載のコンピュータプログラム製品。
【請求項４４】
前記第１のアップリンク送信モードは、ＬＴＥ  Ｒｅｌ−８の動作可能なＵＥにアクセス可能であり、前記第２のアップリンク送信モードは、ＬＴＥ  Ｒｅｌ−１０の動作可能なＵＥにアクセス可能である、
請求項４１に記載のコンピュータプログラム製品。
【請求項４５】
前記第１のアップリンク送信モードは、ＬＴＥ  Ｒｅｌ−８のＵＥと互換の単一アンテナポートモードである、
請求項４１に記載のコンピュータプログラム製品。
【請求項４６】
前記第２のアップリンク送信モードは、ＬＴＥ  Ｒｅｌ−８のＵＥと互換ではない単一アンテナポートモードである、
請求項４５に記載のコンピュータプログラム製品。
【請求項４７】
前記第２のアップリンク送信モードはマルチアンテナポートモードである、
請求項４５に記載のコンピュータプログラム製品。
【請求項４８】
前記コンピュータ可読媒体は、
アップリンク再構成期間とダウンリンク再構成期間とを定義するコードをさらに備え、前記アップリンク再構成期間と前記ダウンリンク再構成期間とが異なる時間に定義される、
請求項４５に記載のコンピュータプログラム製品。
【請求項４９】
前記アップリンク再構成期間の間に、ＵＥ固有の探索空間の中の第１のＤＣＩフォーマットのサイズは、前記再構成スキームの実施の一環として第２のＤＣＩフォーマットのサイズに変更され、前記コンピュータ可読媒体は、
前記アップリンク再構成期間の間に、ＤＬ許可を示すために前記第２のＤＣＩフォーマットのサイズを使用するためのコードをさらに備える、
請求項４８に記載のコンピュータプログラム製品。
【請求項５０】
前記第２のアップリンク送信モードは、動的な非周期サウンディング基準信号トリガリングをサポートするように構成される、
請求項４５に記載のコンピュータプログラム製品。
【請求項５１】
ワイヤレス通信のためのコンピュータプログラム製品であって、
ＳＲＳモードを再構成するための第１のメッセージをＵＥに送信し、
物理ＵＥアンテナポートの数よりも多いＳＲＳ送信ポートの数を示すことができるフィールドの中で特定されるＳＲＳ送信ポートを、前記第１のメッセージの中で示すためのコードを備えるコンピュータ可読媒体を備えるコンピュータプログラム製品。
【請求項５２】
４つの物理ＵＥアンテナポートが存在する場合、示される前記ＳＲＳ送信ポートの数は６に等しい、
請求項５１に記載のコンピュータプログラム製品。
【請求項５３】
２つの物理ＵＥアンテナポートが存在する場合、示される前記ＳＲＳ送信ポートの数は３に等しい、
請求項５１に記載のコンピュータプログラム製品。
【請求項５４】
前記ＳＲＳモードは、非周期ＳＲＳまたは周期ＳＲＳのいずれかである、
請求項５１に記載のコンピュータプログラム製品。
【請求項５５】
前記ＳＲＳモードは、単一のアンテナポートを使用する第１のアップリンク送信モード、または複数のアンテナポートを使用する第２のアップリンク送信モードのいずれかに関連する、
請求項５１に記載のコンピュータプログラム製品。
【請求項５６】
ワイヤレス通信のためのコンピュータプログラム製品であって、
ＵＥによって使用されるＳＲＳモードを再構成するための第１のメッセージを受信し、
物理ＵＥアンテナポートの数よりも多いＳＲＳ送信ポートの数を示すことができるフィールドの中で特定されるＳＲＳ送信ポートを、前記第１のメッセージの受信に応答して決定するためのコードを備えるコンピュータ可読媒体を備える、
コンピュータプログラム製品。
【請求項５７】
４つの物理ＵＥアンテナポートが存在する場合、示される前記ＳＲＳ送信ポートの数は、６に等しい、
請求項５６に記載のコンピュータプログラム製品。
【請求項５８】
２つの物理ＵＥアンテナポートが存在する場合、示される前記ＳＲＳ送信ポートの数は、３に等しい、
請求項５６に記載のコンピュータプログラム製品。
【請求項５９】
前記ＳＲＳモードは、非周期ＳＲＳまたは周期ＳＲＳのいずれかである、
請求項５６に記載のコンピュータプログラム製品。
【請求項６０】
前記ＳＲＳモードは、単一のアンテナポートを使用する第１のアップリンク送信モード、または複数のアンテナポートを使用する第２のアップリンク送信モードのいずれかに関連する、
請求項５６に記載のコンピュータプログラム製品。
【請求項６１】
ワイヤレス通信のための装置であって、
ユーザ機器（ＵＥ）のアップリンク送信モードを第１のアップリンク送信モードから第２のアップリンク送信モードに再構成するための第１のメッセージを送信し、
前記第１のメッセージの送信後の移行期間の間に、２つ以上の第２のメッセージのうちの少なくとも１つが前記ＵＥによって認識可能であることを保証するための再構成スキームを実施するように構成された処理システムを備える、
装置。
【請求項６２】
前記処理システムは、
前記２つ以上の第２のメッセージを送信するようにさらに構成され、前記２つ以上の第２のメッセージのうちの１つが前記再構成の前に前記ＵＥによって認識可能であり、前記２つ以上の第２のメッセージのうちの別のメッセージが前記再構成の後で前記ＵＥによって認識可能であるようにさらに構成される、
請求項６１に記載の装置。
【請求項６３】
前記処理システムは、
前記第１のメッセージをＵＥ固有の探索空間の中で送信し、
前記第２のメッセージを共通探索空間の中で送信するようにさらに構成される、
請求項６２に記載の装置。
【請求項６４】
前記第１のアップリンク送信モードはＬＴＥ  Ｒｅｌ−８の動作可能なＵＥにアクセス可能であり、前記第２のアップリンク送信モードはＬＴＥ  Ｒｅｌ−１０の動作可能なＵＥにアクセス可能である、
請求項６１に記載の装置。
【請求項６５】
前記第１のアップリンク送信モードは、ＬＴＥ  Ｒｅｌ−８のＵＥと互換の単一アンテナポートモードである、
請求項６１に記載の装置。
【請求項６６】
前記第２のアップリンク送信モードは、ＬＴＥ  Ｒｅｌ−８のＵＥと互換ではない単一アンテナポートモードである、
請求項６５に記載の装置。
【請求項６７】
前記第２のアップリンク送信モードは、マルチアンテナポートモードである、
請求項６５に記載の装置。
【請求項６８】
前記処理システムは、
アップリンク再構成期間とダウンリンク再構成期間とを定義するようにさらに構成され、前記アップリンク再構成期間と前記ダウンリンク再構成期間とが異なる時間に定義される、
請求項６５に記載の装置。
【請求項６９】
前記アップリンク再構成期間の間に、ＵＥ固有の探索空間の中の第１のＤＣＩフォーマットのサイズが、前記再構成スキームの実施の一環として第２のＤＣＩフォーマットのサイズに変更され、前記処理システムは、
前記アップリンク再構成期間の間に、ＤＬ許可を示すために前記第２のＤＣＩフォーマットのサイズを使用するようにさらに構成される、
請求項６８に記載の装置。
【請求項７０】
前記第２のアップリンク送信モードは、動的な非周期サウンディング基準信号トリガリングをサポートするように構成される、
請求項６５に記載の装置。
【請求項７１】
ワイヤレス通信のための装置であって、
ＳＲＳモードを再構成するための第１のメッセージをＵＥに送信し、
物理ＵＥアンテナポートの数よりも多いＳＲＳ送信ポートの数を示すことができるフィールドの中で特定されるＳＲＳ送信ポートを、前記第１のメッセージの中で示すように構成された処理システムを備える、
装置。
【請求項７２】
４つの物理ＵＥアンテナポートが存在する場合、示される前記ＳＲＳ送信ポートの数は、６に等しい、
請求項７１に記載の装置。
【請求項７３】
２つの物理ＵＥアンテナポートが存在する場合、示される前記ＳＲＳ送信ポートの数は、３に等しい、
請求項７１に記載の装置。
【請求項７４】
前記ＳＲＳモードは、非周期ＳＲＳまたは周期ＳＲＳのいずれかである、
請求項７１に記載の装置。
【請求項７５】
前記ＳＲＳモードは、単一のアンテナポートを使用する第１のアップリンク送信モード、または複数のアンテナポートを使用する第２のアップリンク送信モードのいずれかに関連する、
請求項７１に記載の装置。
【請求項７６】
ワイヤレス通信のための装置であって、
ＵＥによって使用されるＳＲＳモードを再構成するための第１のメッセージを受信し、
物理ＵＥアンテナポートの数よりも多いＳＲＳ送信ポートの数を示すことができるフィールドの中で特定されるＳＲＳ送信ポートを、前記第１のメッセージの受信に応答して決定するように構成された処理システムを備える、
装置。
【請求項７７】
４つの物理ＵＥアンテナポートが存在する場合、示される前記ＳＲＳ送信ポートの数は、６に等しい、
請求項７６に記載の装置。
【請求項７８】
２つの物理ＵＥアンテナポートが存在する場合、示される前記ＳＲＳ送信ポートの数は３に等しい、
請求項７６に記載の装置。
【請求項７９】
前記ＳＲＳモードは、非周期ＳＲＳまたは周期ＳＲＳのいずれかである、
請求項７６に記載の装置。
【請求項８０】
前記ＳＲＳモードは、単一のアンテナポートを使用する第１のアップリンク送信モード、または複数のアンテナポートを使用する第２のアップリンク送信モードのいずれかに関連する、
請求項７６に記載の装置。
【発明の詳細な説明】
【関連出願】
【０００１】
関連出願の相互参照
本出願は、本出願の譲受人に譲渡され、その内容全体が参照により本明細書に明確に組み込まれる、２０１０年１１月９日に出願した「ＵＰＬＩＮＫ  ＴＲＡＮＳＭＩＳＳＩＯＮ  ＭＯＤＥ  ＣＯＮＦＩＧＵＲＡＴＩＯＮ」と題する米国特許仮出願第６１／４１１，８８７号および２０１１年１１月７日に出願した「ＭＥＴＨＯＤ  ＡＮＤ  ＡＰＰＡＲＡＴＵＳ  ＦＯＲ  ＩＭＰＲＯＶＩＮＧ  ＵＰＬＩＮＫ  ＴＲＡＮＳＭＩＳＳＩＯＮ  ＭＯＤＥ  ＣＯＮＦＩＧＵＲＡＴＩＯＮ」と題する米国特許出願第１３／２９０，９７９号の利益を主張するものである。
【技術分野】
【０００２】
本開示は一般に、通信システムに関し、より詳細には、改善されたアップリンク送信モード構成および／または再構成を提供することに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、様々なワイヤレスデバイスが都市、国家、地域、さらには地球規模で通信することを可能にする共通プロトコルを提供するために、様々な電気通信規格において採用されている。新生の電気通信規格の例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、これらの技術を採用する他の多元接続技術と電気通信規格とに適用可能であるべきである。
【発明の概要】
【０００５】
以下で、１つまたは複数の態様の基本的理解を与えるために、そのような態様の簡略化された概要を提示する。この概要は、すべての企図された態様の包括的な概観ではなく、すべての態様の主要なまたは重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
１つまたは複数の態様およびその対応する開示に従って、様々な態様はアップリンク通信構成を提供することに関して説明される。一例では、発展型ノードＢ（ｅＮＢ）が、ユーザ機器（ＵＥ）のアップリンク送信モードを第１のアップリンク送信モードから第２のアップリンク送信モードに再構成するための第１のメッセージを送信するように備えられてもよい。さらに、ＵＥは、第１のメッセージの送信後の移行期間の間に、２つ以上の第２のメッセージのうちの少なくとも１つがＵＥによって認識可能であることを保証するための再構成スキームを実装するように備えられてもよい。別の例では、ＵＥおよびｅＮＢが、ＵＥによって使用されるＳＲＳモードを再構成するための第１のメッセージをそれぞれ送信および受信するように備えられてもよい。そのような態様では、第１のメッセージはそれぞれ物理ＵＥアンテナポートの数よりも多いＳＲＳ送信ポートの数を示すことができるフィールドの中で特定されるＳＲＳ送信ポートを決定するよう指示し、またそのために使用されてもよい。
【０００７】
関連する態様によれば、アップリンク通信構成を提供するための方法が提供される。本方法は、ＵＥのアップリンク送信モードを第１のアップリンク送信モードから第２のアップリンク送信モードに再構成するための第１のメッセージを送信することを含み得る。さらに、本方法は、第１のメッセージの送信後の移行期間の間に、２つ以上の第２のメッセージのうちの少なくとも１つがＵＥによって認識可能であることを保証するための再構成スキームを実施することを含み得る。
【０００８】
別の態様は、ワイヤレス通信装置に関する。このワイヤレス通信装置は、ＵＥのアップリンク送信モードを第１のアップリンク送信モードから第２のアップリンク送信モードに再構成するための第１のメッセージを送信するための手段を含み得る。さらに、このワイヤレス通信装置は、第１のメッセージの送信後の移行期間の間に、２つ以上の第２のメッセージのうちの少なくとも１つがＵＥによって認識可能であることを保証するための再構成スキームを実施するための手段を含み得る。
【０００９】
別の態様は、ワイヤレス通信装置に関する。この装置は、ＵＥのアップリンク送信モードを第１のアップリンク送信モードから第２のアップリンク送信モードに再構成するための第１のメッセージを送信するように構成された処理システムを含み得る。さらに、この処理システムは、第１のメッセージの送信後の移行期間の間に、２つ以上の第２のメッセージのうちの少なくとも１つがＵＥによって認識可能であることを保証するための再構成スキームを実施するようにさらに構成されてもよい。
【００１０】
別の態様は、ＵＥのアップリンク送信モードを第１のアップリンク送信モードから第２のアップリンク送信モードに再構成するための第１のメッセージを送信するためのコードを備えるコンピュータ可読媒体を有し得るコンピュータプログラム製品に関する。さらに、このコンピュータ可読媒体は、第１のメッセージの送信後の移行期間の間に、２つ以上の第２のメッセージのうちの少なくとも１つがＵＥによって認識可能であることを保証するための再構成スキームを実施するためのコードを含み得る。
【００１１】
関連する態様によれば、サウンディング基準信号（ＳＲＳ）送信ポートを提供するための方法が提供される。本方法は、ＳＲＳモードを再構成するための第１のメッセージをＵＥに送信することを含み得る。さらに、本方法は、物理ＵＥアンテナポートの数よりも多いＳＲＳ送信ポートの数を示すことができるフィールドの中で特定されるＳＲＳ送信ポートを、第１のメッセージの中で示すことを含み得る。
【００１２】
別の態様は、ワイヤレス通信装置に関する。このワイヤレス通信装置は、ＳＲＳモードを再構成するための第１のメッセージをＵＥに送信するための手段を含み得る。さらに、このワイヤレス通信装置は、物理ＵＥアンテナポートの数よりも多いＳＲＳ送信ポートの数を示すことができるフィールドの中で特定されるＳＲＳ送信ポートを、第１のメッセージの中で示すための手段を含み得る。
【００１３】
別の態様は、ワイヤレス通信装置に関する。この装置は、ＳＲＳモードを再構成するための第１のメッセージをＵＥに送信するように構成された処理システムを含み得る。さらに、この処理システムは、物理ＵＥアンテナポートの数よりも多いＳＲＳ送信ポートの数を示すことができるフィールドの中で特定されるＳＲＳ送信ポートを、第１のメッセージの中で示すようにさらに構成されてもよい。
【００１４】
別の態様は、ＳＲＳモードを再構成するための第１のメッセージをＵＥに送信するためのコードを備えるコンピュータ可読媒体を有することができるコンピュータプログラム製品に関する。さらに、このコンピュータ可読媒体は、物理ＵＥアンテナポートの数よりも多いＳＲＳ送信ポートの数を示すことができるフィールドの中で特定されるＳＲＳ送信ポートを、第１のメッセージの中で示すためのコードを含み得る。
【００１５】
関連する態様によれば、ＳＲＳ送信ポート構成を提供するための方法が提供される。本方法は、ＵＥによって使用されるＳＲＳモードを再構成するための第１のメッセージを受信することを含み得る。さらに、本方法は、物理ＵＥアンテナポートの数よりも多いＳＲＳ送信ポートの数を示すことができるフィールドの中で特定されるＳＲＳ送信ポートを、第１のメッセージの受信に応答して決定することを含み得る。
【００１６】
別の態様は、ワイヤレス通信装置に関する。このワイヤレス通信装置は、ＵＥによって使用されるＳＲＳモードを再構成するための第１のメッセージを受信するための手段を含み得る。さらに、このワイヤレス通信装置は、物理ＵＥアンテナポートの数よりも多いＳＲＳ送信ポートの数を示すことができるフィールドの中で特定されるＳＲＳ送信ポートを、第１のメッセージの受信に応答して決定するための手段を含み得る。
【００１７】
別の態様は、ワイヤレス通信装置に関する。この装置は、ＵＥによって使用されるＳＲＳモードを再構成するための第１のメッセージを受信するように構成された処理システムを含み得る。さらに、この処理システムは、物理ＵＥアンテナポートの数よりも多いＳＲＳ送信ポートの数を示すことができるフィールドの中で特定されるＳＲＳ送信ポートを、第１のメッセージの受信に応答して決定するようにさらに構成されてもよい。
【００１８】
別の態様は、ＵＥによって使用されるＳＲＳモードを再構成するための第１のメッセージを受信するためのコードを備えるコンピュータ可読媒体を有することができるコンピュータプログラム製品に関する。さらに、このコンピュータ可読媒体は、物理ＵＥアンテナポートの数よりも多いＳＲＳ送信ポートの数を示すことができるフィールドの中で特定されるＳＲＳ送信ポートを、第１のメッセージの受信に応答して決定するためのコードを含み得る。
【００１９】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００２０】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク内の発展型ノードＢおよびユーザ機器の一例を示す図。
【図７】アップリンク送信モードの再構成を実行する発展型ノードＢおよびユーザ機器を示す図。
【図８】ワイヤレス通信の方法のフローチャート。
【図９Ａ】ワイヤレス通信の別の方法のフローチャート。
【図９Ｂ】ワイヤレス通信のさらに別の方法のフローチャート。
【図１０】例示的な装置における異なるモジュール／手段／構成要素の間のデータフローを示す概念データフロー図。
【図１１】処理システムを採用する装置のためのハードウェア実装形態の一例を示す図。
【図１２】別の例示的な装置における異なるモジュール／手段／構成要素の間のデータフローを示す概念データフロー図。
【図１３】処理システムを採用する別の装置のためのハードウェア実装形態の一例を示す図。
【発明を実施するための形態】
【００２１】
添付の図面に関して以下に示す詳細な説明は、様々な構成の説明として意図されるものであり、本明細書で説明される概念が実施され得る唯一の構成を表すように意図されるものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２２】
次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、具体的な適用例および全体的なシステムに課せられた設計制約に依存する。
【００２３】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２４】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００２５】
図１は、ＬＴＥネットワークアーキテクチャ１００を示す図である。ＬＴＥネットワークアーキテクチャ１００は発展型パケットシステム（ＥＰＳ）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを与えるが、当業者なら容易に諒解するように、本開示全体にわたって提示する様々な概念は、回線交換サービスを与えるネットワークに拡張され得る。
【００２６】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例は、セルラー電話、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスを含む。ＵＥ１０２はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。
【００２７】
ｅＮＢ１０６はＳ１インターフェースによってＥＰＣ１１０に接続され得る。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードであり得る。概して、ＭＭＥ１１２はベアラおよび接続管理を行う。すべてのユーザＩＰパケットはサービングゲートウェイ１１６を通して転送されてもよく、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２８】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれてもよい。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は、それぞれのセル２０２に各々割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２９】
アクセスネットワーク２００によって採用される変調および多元接続スキームは、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の発明を実施するための形態から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形体を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰという組織からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課せられる全体的な設計制約に依存することになる。
【００３０】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００３１】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００３２】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３３】
図３は、ＬＴＥにおけるＤＬフレーム構造の一例を示す図３００である。１つのフレーム（１０ｍｓ）は、１０個の等しいサイズのサブフレーム３０６に分割することができる。各サブフレーム３０６は、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル内の通常のサイクリックプレフィックスについて、時間領域中に７個の連続ＯＦＤＭシンボル、または８４個のリソース要素を含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調スキームに依存する。したがって、ＵＥが受信するリソースブロックが多いほど、また変調スキームが高いほど、ＵＥのデータレートは高くなる。
【００３４】
サブフレーム３０６は、制御領域３０８とデータ領域３１０に編成されてもよい。制御領域３０８は、様々な物理制御チャネルのために割り振られてもよいリソース要素を含んでもよい。たとえば、制御領域３０８は、物理制御フォーマットインジケータチャネル（ＰＣＦＩＣＨ：physical control format indictor channel）３１２、物理ハイブリッドＡＲＱインジケータチャネル（ＰＨＩＣＨ：physical hybrid ARQ indicator channel）３１４、および物理ダウンリンク制御チャネル（ＰＤＣＣＨ：physical downlink control channel）３１６に割り振られたリソース要素を含んでもよい。
【００３５】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨ３１２は、シンボル期間０において、周波数上でほぼ等しく離間され得る、４つのＲＥＧを占有し得る。ＰＨＩＣＨ３１４は、１つまたは複数の構成可能なシンボル期間において、周波数上で拡散され得る、３つのＲＥＧを占有し得る。たとえば、ＰＨＩＣＨ３１４用の３つのＲＥＧは、すべてシンボル期間０中に属するか、またはシンボル期間０、１および２中で拡散され得る。ＰＤＣＣＨ３１６は、最初のＭ個のシンボル期間において、利用可能なＲＥＧから選択され得る、９、１８、３２または６４個のＲＥＧを占有し得る。ＲＥＧのいくつかの組合せのみがＰＤＣＣＨ３１６に対して可能にされ得る。
【００３６】
ＵＥは、ＰＨＩＣＨ３１４およびＰＣＦＩＣＨ３１２のために使用される特定のＲＥＧを知り得る。ＵＥは、ＰＤＣＣＨ３１６のためのＲＥＧの様々な組合せを探索し得る。探索する組合せの数は、一般に、ＰＤＣＣＨ３１６に対して可能にされた組合せの数よりも少ない。ｅＮＢは、ＵＥが探索し得る組合せのいずれかにおいてＵＥにＰＤＣＣＨ３１６を送り得る。
【００３７】
図４は、ＬＴＥにおけるＵＬフレーム構造の一例を示す図４００である。ＵＬのために利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３８】
ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３９】
リソースブロックのセットは、初期システムアクセスを実行し、物理ランダムアクセスチャネル（ＰＲＡＣＨ：physical random access channel）４３０中でＵＬ同期を達成するために使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００４０】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００４１】
ユーザプレーンでは、Ｌ２レイヤ５０８は、ネットワーク側のｅＮＢにおいて終了される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００４２】
ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００４３】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００４４】
図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４５】
送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調スキーム（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調スキームを決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００４６】
ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００４７】
コントローラ／プロセッサ６５９はＬ２レイヤを実装する。コントローラ／プロセッサは、プログラムコードとデータとを記憶するメモリ６６０に関連付けることができる。メモリ６６０はコンピュータ可読媒体と呼ばれることがある。ＵＬでは、制御／プロセッサ６５９は、コアネットワークからの上位レイヤパケットを復元するために、トランスポートチャネルと論理チャネルとの間での多重分離と、パケット再統合と、復号と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４８】
ＵＬでは、データソース６６７は、コントローラ／プロセッサ６５９に上位レイヤパケットを与えるために使用される。データソース６６７は、Ｌ２レイヤの上のすべてプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４９】
ｅＮＢ６１０によって送信される基準信号またはフィードバックからの、チャネル推定器６５８によって導出されるチャネル推定値は、適切な符号化および変調スキームを選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００５０】
ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００５１】
コントローラ／プロセッサ６７５はＬ２レイヤを実装する。コントローラ／プロセッサ６７５は、プログラムコードとデータとを記憶するメモリ６７６に関連付けることができる。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間での多重分離と、パケット再統合と、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００５２】
一般に、ＵＥは様々なアップリンク送信モードを使用して通信するために動作可能であり得る。一態様では、ＬＴＥ−Ａ  ＵＬ送信モードに関して、２つのＰＵＳＣＨ送信モードを使用し得る。本明細書で使用するＰＵＳＣＨ  Ｍｏｄｅ１は、単一のアンテナポートモードであり得る。さらに、そのような態様では、様々な異なる構成が存在し得る。１つの構成によって、Ｒｅｌ−８ＰＵＳＣＨ送信スキームが使用可能になる。一般に、ＵＥはセルにアクセスする場合、Ｒｅｌ−８互換ＵＬ送信モードおよび構成を使用することができる。他の構成は、ＰＤＣＣＨ、Ｒｅｌ−１０直交カバーコード／巡回シフト（ＯＣＣ／ＣＳ：orthogonal cover code/cyclic shift）マッピング表、および動的非周期ＳＲＳトリガリングを介して動的に構成することができる連続ランダムアクセス（ＲＡ：random access）と非連続ＲＡの両方をサポートすることができる。一態様では、構成は、Ｒｅｌ−１０ＯＣＣ／ＣＳマッピング表の構成解除／構成のために動作可能であり得る。
【００５３】
さらに、本明細書で使用するＰＵＳＣＨ  Ｍｏｄｅ２は、マルチアンテナポートモードであり得る。このモードには様々な異なる構成が存在し得る（たとえば、そこでは基準ＤＣＩフォーマット４が使用される）。一態様では、アンテナポート｛０、１｝がＰＵＳＣＨのために構成されている（たとえば、ＰＵＳＣＨが２ＴＸコードブックを使用している）１つの構成が動作可能であり得る。別の態様では、アンテナポート｛０、１、２、３｝がＰＵＳＣＨのために構成されている（たとえば、ＰＵＳＣＨが４ＴＸコードブックを使用している）異なる構成が動作可能であり得る。以下でより詳細に説明するように、アップリンク送信モードに関連する制御情報は、たとえばＵＥ固有またはセル固有などの様々な探索空間の中で送信され得る。フォールバックＤＣＩフォーマット０がＵＥによって受信される一態様では、単一のアンテナポートが使用され得る。
【００５４】
本明細書で使用するＰＵＳＣＨ  Ｍｏｄｅ１およびＭｏｄｅ２に関して、ＵＬ送信スキーム１は、上述のＰＵＳＣＨ  Ｍｏｄｅ１の中にＲｅｌ−８互換ＵＲ構成を含み得る。ＵＬ送信スキーム２は、ＰＵＳＣＨ  Ｍｏｄｅ１の中に非Ｒｅｌ−８互換ＵＬ構成を含み得る。一般に、ＵＬ送信スキーム２は、多くの異なる可能な構成の組合せのことを総称してもよい。ＵＬ送信スキーム３は、ＰＵＳＣＨ  Ｍｏｄｅ２の中にＵＥ動作を含み得る。参考のために、これらの送信スキームの属性を以下で説明する。
【００５５】
Ｒｅｌ−８構成（送信スキーム１）  
ＵＥは、以下のうちのいずれかが当てはまる場合、送信スキーム１を使用することができる：ＵＥはＵＬ送信モード構成を受信していない；ＵＥはＵＬ送信モード１構成を受信しており、以下のすべてが当てはまる：ＵＥはサウンディング基準信号（ＳＲＳ）ポート１０のみを使用するように構成されている、ＵＥは非周期ＳＲＳを使用するように構成されていない、ＵＥは任意のＰＵＣＣＨフォーマットのために空間直交リソース送信ダイバーシティ（ＳＯＲＴＤ：Spatial Orthogonal-Resource Transmit Diversity）を使用するように構成されていない、ＵＥは同じ成分キャリア上でＰＵＣＣＨ送信とＰＵＳＣＨ送信とを同時に使用するように構成されていない。
【００５６】
送信スキーム１では、以下の構成が当てはまってもよい：ＵＥはＵＬ許可のためにＤＣＩフォーマット０のみをモニタする；ＵＥは、Ｒｅｌ−８のように、開ループアンテナ切替えまたは閉ループアンテナ切替えのいずれかを使用するように構成されてもよい；ＰＵＳＣＨ送信ポートとＳＲＳ送信ポートとは実質的に同じものである；ＵＥは、ＰＵＣＣＨとＰＵＳＣＨのために異なるアンテナポートを使用してもよい；ＵＥは、ＰＵＣＣＨのためにプリコーディングベクトル切替えを使用してもよい。
【００５７】
Ｒｅｌ−１０構成（送信スキーム２）  
ＵＥは、以下のうちのいずれかが当てはまる場合、送信スキーム２を使用することができる：ＵＥはＵＬ送信モード１構成を受信しており、以下のいずれかが当てはまる：ＵＥはポート１０以外にＳＲＳ送信ポートを使用するように構成されている、ＵＥは非周期ＳＲＳを使用するように構成されている、ＵＥは任意のＰＵＣＣＨフォーマットのためにＳＯＲＴＤを使用するように構成されている、ＵＥは同じ成分キャリア上でＰＵＣＣＨ送信とＰＵＳＣＨ送信とを同時に使用するように構成されている。
【００５８】
送信スキーム２では、以下の構成が当てはまってもよい：ＵＥはＵＬ許可のためにＤＣＩフォーマット０および（０Ａ、０Ｂ、．．．）をモニタする；ＵＥはＰＵＳＣＨのために送信ポート０を使用する；ＵＥは開ループまたは閉ループのいずれのＲｅｌ−８アンテナ切替えも使用するように構成されていなくてもよい；ＵＥはＰＵＣＣＨとＰＵＳＣＨのために異なるアンテナポートを使用してもよく、たとえば送信ポート０と送信ポート２０および２１とは関連性がない。一態様では、ＵＥはＰＵＣＣＨプリコーディングベクトル切替えを使用してもよい。
【００５９】
マルチアンテナ構成（送信スキーム３）  
ＵＥは、ＵＬ送信モード２構成を受信している場合、送信スキーム３を使用することができる。
【００６０】
送信スキーム３では、以下の構成が当てはまってもよい：ＵＥはＵＬ許可のためにＤＣＩフォーマット０および４をモニタする；ＵＥは開ループまたは閉ループのいずれのＲｅｌ−８アンテナ切替えも使用するように構成されていなくてもよい；ＵＥはＰＵＣＣＨとＰＵＳＣＨのために異なるアンテナポートを使用してもよく、たとえば送信ポート０と送信ポート２０および２１とは関連性がない；ＵＥはＰＵＣＣＨのためにプリコーディングベクトル切替えを使用してもよい。
【００６１】
動作中、送信モードに関係する構成変更があり、移行期間の可能性がある場合、ｅＮＢおよびＵＥにおける構成の仮定は同期外れとなる。一部の構成変更は、ＤＬフォーマット１Ａとサイズが一致するＤＣＩフォーマット０（またはフォーマット０Ａ、０Ｂなど）のサイズを変更する場合があり、同様にＤＬ制御の損失を引き起こす場合がある。上述の問題に対処するために、図７、図８、図１０および図１１を参照して方法および装置について説明する。
【００６２】
図７は、アクセスネットワーク７００においてアップリンク送信モードの再構成を実行するｅＮＢとＵＥを示す図である。図７に示すように、ｅＮＢ７０２とＵＥ７０４に関連する活動は、時間軸に対して記述されている。動作時、ＵＥ７０４は、時間間隔７０６の間に第１のアップリンク送信モードを使用して動作可能であり得る。ｅＮＢ７０２は、ＵＥ７０４が時間間隔７０６の間に使用されていたものと異なるアップリンク送信モードを使用すべきであると決定し得、ＵＥ７０４に、アップリンク送信を異なるアップリンク送信モードへ再構成するように促すメッセージ７０８を送信し得る。一態様では、第１のアップリンク送信モードは、ＬＴＥ  Ｒｅｌ−８の動作可能なＵＥ７０４にアクセス可能であり得、第２のアップリンク送信モードは、ＬＴＥ  Ｒｅｌ−１０の動作可能なＵＥ７０４にアクセス可能であり得る。一態様では、第１のアップリンク送信モードは、ＬＴＥ  Ｒｅｌ−８のＵＥと互換の単一アンテナポートモードである。別態様では、第２のアップリンク送信モードは、ＬＴＥ  Ｒｅｌ−８のＵＥと互換ではない単一アンテナポートモードである。追加または代替として、第２のアップリンク送信モードはマルチアンテナポートモードである。一態様では、第２のアップリンク送信モードは、動的な非周期サウンディング基準信号（ＳＲＳ）トリガリングをサポートするように構成される。
【００６３】
メッセージ７０８の送信後、ｅＮＢは、ＵＥ７０４が異なるアップリンク送信モード下の動作に正常に移行したのかどうか／いつそれに移行したのかを検出できない場合がある。このあいまいな時間間隔７１０の間に、ｅＮＢ７０２は、第１のメッセージ７０８の送信後の移行期間（あいまいな期間７１０）の間に、２つ以上の第２のメッセージのうちの少なくとも１つがＵＥによって認識可能であることを保証するための再構成スキームを実施し得る。一態様では、メッセージ７１２は２つ以上の第２のメッセージを含んでもよく、そこで２つ以上の第２のメッセージのうちの第１のメッセージが再構成の前にＵＥ７０４によって認識可能であり、２つ以上の第２のメッセージのうちの第２のメッセージが再構成の後でＵＥ７０４によって認識可能である。一態様では、メッセージ７１２は、１つのアップリンク送信モードのためのＵＥ固有の探索空間の中の制御情報と、別のアップリンク送信モードのための共通の探索空間の中の制御情報とを通信することができる。そのような態様では、時間間隔７０６の間に使用されたアップリンク送信モードに関連する制御情報はＵＥ固有の空間の中で送信されてもよく、新しいアップリンク送信モードに関連する制御情報は共通の探索空間の中で送信されてもよい。一態様では、制御情報は、ＵＥ固有の探索空間とＰＤＣＣＨの共通探索空間の中で送信されてもよい。一態様では、ｅＮＢは、アップリンク再構成期間とダウンリンク再構成期間とを定義することによって、あいまいな時間間隔７１０の間の構成問題を回避しようとしてもよく、アップリンク再構成期間とダウンリンク再構成期間は異なる時間に定義される。そのような態様では、アップリンク再構成期間の間、ＵＥ固有の探索空間の中のＤＣＩフォーマットのサイズは再構成の一部として変更され、ｅＮＢ７０２は、ＤＬ許可のために異なるＤＣＩフォーマットを使用することができる。一態様では、ＤＬ許可のための異なるＤＣＩフォーマットは、ＤＬフォールバック動作のために使用されるものと異なるフォーマットであり得る。
【００６４】
ＵＥ７０４による新しいアップリンク送信モードへの再構成が成功すると、時間間隔７１２の間、ｅＮＢは新しいアップリンク送信モードに関連する制御情報を含む１つまたは複数のメッセージ７１４を送信することができる。一態様では、制御情報は、ＰＤＣＣＨのＵＥ固有の探索空間の中に含まれてもよい。
【００６５】
図８は、ワイヤレス通信の方法のフローチャート８００である。本方法はｅＮＢによって実行できる。一態様では、ｅＮＢは、ＵＥがセルにアクセスしようとしているかどうか、およびＵＥが特定のＵＥ送信モード（たとえば、ＵＲ送信スキーム１）を使用しているかどうかを決定することができる。一態様では、ＵＬ送信スキーム１は、セルにアクセスしようとしているＵＥのためのデフォルト設定となるように構成することができる。ＵＥがセルにアクセスしようとしていない場合および／または任意の態様では、ＵＥがセルにアクセスするために動作可能なＵＬ送信スキームを使用しているとｅＮＢが決定する場合、次いでブロック８０２で、ｅＮＢはＵＥ  ＵＬ送信スキームを変更すべきかどうかを決定することができる。ブロック８０２で、ＵＬ送信スキームを変更すべきでないとｅＮＢが決定する場合、次いでブロック８０４で、ｅＮＢは制御情報（たとえば、ＵＬ許可情報など）を現在のＵＬ送信スキームに関連するＵＥに送信することができる。対照的に、ブロック８０２で、ＵＬ送信スキームの変更が実施されるべきであるとｅＮＢが決定する場合、次いでブロック８０６で、ｅＮＢはＵＥ  ＵＬ送信スキームを新しいＵＬ送信スキーム（たとえば、ＵＬ送信スキーム２または３）に再構成するために、第１のメッセージをＵＥに送信する。
【００６６】
あいまいな移行期間の間、図７で説明したように、ｅＮＢはＵＥが新しいＵＬ送信スキームを実装したのかどうか、および／またはＵＥが新しいＵＲ送信スキームをいつ実装したのかを認識しない場合がある。ブロック８０８で、ｅＮＢは、このあいまいな移行期間内に通信が発生しているのかどうかを決定する。一態様では、あいまいな移行期間は、ＵＥが新しいＵＬ送信スキームへの正常な移行を確認するまで継続し得る。別の態様では、あいまいな移行期間は、ｅＮＢによって定義される持続時間の間継続し得る。ブロック８０８で、あいまいな移行期間がまだアクティブであるとｅＮＢが決定する場合、次いでブロック８１０で、ｅＮＢは元のＵＬ送信スキームと新しいＵＬ送信スキームの両方に関連する制御情報を送信することができる。一態様では、メッセージは、１つのアップリンク送信モード／スキームのためのＵＥ固有の探索空間の中の制御情報と、別のアップリンク送信モード／スキームのための共通の探索空間の中の制御情報とを通信することができる。そのような態様では、あいまいな移行期間の前に使用されたアップリンク送信モード／スキームに関連する制御情報はＵＥ固有の空間の中で送信されてもよく、あいまいな新しいアップリンク送信モード／スキームに関連する制御情報は共通の探索空間の中で送信されてもよい。一態様では、制御情報は、ＵＥ固有の探索空間とＰＤＣＣＨの共通探索空間の中で送信されてもよい。
【００６７】
ブロック８０８で、あいまいな移行期間が完了したか、またはもはやアクティブではないことをｅＮＢが決定した後、次いでブロック８１２で、ｅＮＢは新しいＵＬ送信スキームに関連する制御情報を送信することができる。一態様では、制御情報は、ＰＤＣＣＨのＵＥ固有の空間の中に含まれてもよい。
【００６８】
図９Ａは、ワイヤレス通信の別の方法のフローチャート９００である。本方法はｅＮＢによって実行できる。ブロック９０２で、ｅＮＢは、ユーザ機器（ＵＥ）のサウンディング基準信号（ＳＲＳ）モードを再構成するための第１のメッセージを送信することができる。９０４で、ｅＮＢは、物理ＵＥアンテナポートの数よりも多いＳＲＳ送信ポートの数を示すことができるフィールドの中で特定されるＳＲＳ送信ポートを、第１のメッセージの中で示すことができる。
【００６９】
図９Ｂは、ワイヤレス通信のさらに別の方法のフローチャート９０１である。本方法は、ＵＥによって実行できる。ブロック９０６で、ＵＥは、ｅＮＢから、サウンディング基準信号（ＳＲＳ）モードを再構成するための第１のメッセージを受信することができる。９０８で、ＵＥは、物理ＵＥアンテナポートの数よりも多いＳＲＳ送信ポートの数を示すことができるフィールドの中で特定されるＳＲＳ送信ポートを決定することができる。
【００７０】
図９Ａおよび図９Ｂに関して、一態様によって、表１の中で以下のＳＲＳ送信ポートを定義することができる。
【表１】
2013546272.tif 000003
【００７１】
図１０は、例示的な装置１０４における異なるモジュール／手段／構成要素の間のデータフローを示す概念データフロー図１０００である。装置１０４は、ＳＲＳ再構成メッセージ１０１０を受信するモジュール１００２と、物理ＵＥアンテナポートの数よりも多いＳＲＳ送信ポートの数を示すことができるフィールドから使用するためのＳＲＳ送信ポートを決定するモジュール１００４とを含む。装置１０４は、ＵＥのためにアップリンク送信モードを再構成するかどうかを決定するモジュール１００６と、モジュール１００４によって生成される１つまたは複数のメッセージ１０１２、１０１４、１０１６を送信するモジュール１００８とをさらに含み得る。一態様では、たとえば、アップリンク送信モードの再構成過程を示すアップリンク再構成メッセージ１０１２などのメッセージを、モジュール１００６が生成し、モジュール１００８が送信してもよい。ＵＥがアップリンク送信モードの再構成モードを実施したかどうかをｅＮＢが判定することができない移行時間の間に、あいまい期間構成メッセージ１０１４を送信してもよい。１つのインスタンスが再構成の前に認識可能であり、第２のインスタンスが再構成の後で認識可能であるように構成され得る制御情報のインスタンス（たとえばアップリンク許可など）を含み得るあいまい期間構成メッセージ１０１４は、ＵＥによって処理される。再構成が成功した後、再構成の後で動作可能なアップリンク送信モードを使用して、アップリンク送信モジュール制御情報メッセージ１０１６をモジュール１００６が生成し、モジュール１００８が送信してもよい。
【００７２】
装置は、上述の図８および図９Ａのフローチャート中のアルゴリズムのステップの各々を実行する追加のモジュールを含み得る。したがって、上述の図８および図９Ａのフローチャート内の各ステップは、１つのモジュールによって実行され得、装置は、それらのモジュールのうちの１つまたは複数を含み得る。モジュールは特に、記載したプロセス／アルゴリズムを実行するように特に構成され、記載したプロセス／アルゴリズムを実行するように構成されたプロセッサによって実施され、プロセッサによる実施のためにコンピュータ可読媒体内に記憶された１つまたは複数のハードウェア構成要素、または何らかのそれらの組合せであり得る。
【００７３】
図１１は、処理システム１１１４を採用する装置１０４のためのハードウェア実装形態の一例を示す図である。処理システム１１１４は、バス１１２４によって全般的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアモジュールと、モジュール１００２、１００４、１００６、１００８と、コンピュータ可読媒体１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００７４】
処理システム１１１４は、トランシーバ１１１０に結合できる。トランシーバ１１１０は、１つまたは複数のアンテナ１１２０に結合する。トランシーバ１１１０は、伝送媒体上で様々な他の装置と通信するための手段を与える。処理システム１１１４は、コンピュータ可読媒体１１０６に結合されたプロセッサ１１０４を含む。プロセッサ１１０４は、コンピュータ可読媒体１１０６上に記憶されたソフトウェアの実行を含む一般的な処理を担当する。ソフトウェアは、プロセッサ１１０４によって実行されたとき、処理システム１１１４に、任意の特定の装置のための上記で説明した様々な機能を実行させる。コンピュータ可読媒体１１０６はまた、ソフトウェアを実行するときにプロセッサ１１０４によって操作されるデータを記憶するために使用され得る。処理システムは、モジュール１００２とモジュール１００４とモジュール１００６とモジュール１００８とをさらに含む。モジュールは、コンピュータ可読媒体１１０６、プロセッサ１１０４に結合した１つまたは複数のハードウェアモジュール、または何らかのそれらの組合せの中に常駐する／記憶されたプロセッサ１１０４の中で実行中のソフトウェアモジュールであり得る。処理システム１１１４はＵＥ６１０の構成要素であってもよく、メモリ６７６、および／またはＴＸプロセッサ６１６とＲＸプロセッサ６７０とコントローラ／プロセッサ６７５のうちの少なくとも１つを含んでもよい。
【００７５】
一構成では、ワイヤレス通信のための装置１０４／１０４’は、第１のアップリンク送信モードから第２のアップリンク送信モードへＵＥのアップリンク送信モードを再構成するための第１のメッセージを送信するための手段と、第１のメッセージの送信後の移行期間の間に、２つ以上の第２のメッセージのうちの少なくとも１つがＵＥによって認識可能であることを保証するための再構成スキームを実施するための手段とを含む。一態様では、装置１０４／１０４’は、２つ以上の第２のメッセージを送信するための手段であって、２つ以上の第２のメッセージのうちの１つが再構成の前にＵＥによって認識可能であり、２つ以上の第２のメッセージのうちの別のメッセージが再構成の後でＵＥによって認識可能である手段を含み得る。そのような態様では、送信するための手段は、ＵＥ固有の探索空間の中で第１のメッセージを送信するための手段と、共通探索空間の中で第２のメッセージを送信するための手段とを含み得る。一態様では、実施するための手段は、アップリンク再構成期間とダウンリンク再構成期間とを定義するための手段であって、アップリンク再構成期間とダウンリンク再構成期間とが異なる時間に定義される手段をさらに含み得る。そのような態様では、実施するための手段は、ＵＥ固有の探索空間の中のＤＣＩフォーマットのサイズが再構成の一部として変更される場合、アップリンク再構成期間の間にＤＬ許可のために異なるＤＣＩフォーマットを使用するための手段をさらに含み得る。一構成では、装置１０４／１０４’は、ＵＥによって使用されるＳＲＳモードを再構成するための第１のメッセージを受信するための手段と、物理ＵＥアンテナポートの数よりも多いＳＲＳ送信ポートの数を示すことができるフィールドの中で特定されるＳＲＳ送信ポートを、第１のメッセージの受信に応答して決定するための手段とを含み得る。上述の手段は、上述の手段によって具陳される機能を実行するように構成された、装置１０４および／または装置１０４’の処理システム１１１４の上述のモジュールのうちの１つまたは複数であり得る。上記で説明したように、処理システム１１１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００７６】
図１２は、例示的な装置１０２における異なるモジュール／手段／構成要素の間のデータフローを示す概念データフロー図１２００である。装置１０２は、ＳＲＳ再構成過程の一部として様々な送信ポートおよびポートの組合せのためのＳＲＳ値を示し、送信モジュール１２０４による通信のためにＳＲＳ再構成メッセージ１２０６を生成するモジュール１２０２を含む。送信モジュール１２０４は、物理ＵＥアンテナポートの数よりも多いＳＲＳ送信ポートの数を示すことができるフィールドを含み得るＳＲＳ再構成メッセージ１２０６を送信する。
【００７７】
別の態様では、装置１０２は、アップリンク再構成メッセージ１２１２を受信することができるモジュール１２０８と、ＵＥ１０２のためにアップリンク送信モードを再構成し得るモジュール１２１０とを含み得る。一態様では、ｅＮＢがアップリンク送信モードの再構成を開始した後のあいまい期間の間に、モジュール１２０８は、制御情報のインスタンスを含み得るあいまい期間構成メッセージ１２１４を受信することができ、その場合１つのインスタンスは再構成の前に認識可能であるように構成され得、第２のインスタンスはモジュール１２１０によって再構成が処理された後で認識可能であるように構成され得る。一態様では、アップリンク再構成プロセスが正常に完了すると、モジュール１２１０は、送信モジュール１２０４によって送信され得る再構成確認メッセージ１２１６を生成し得る。
【００７８】
装置は、上述の図９Ｂのフローチャート中のアルゴリズムのステップの各々を実行する追加のモジュールを含み得る。したがって、上述の図９Ｂのフローチャート内の各ステップは、１つのモジュールによって実行され得、装置は、それらのモジュールのうちの１つまたは複数を含み得る。モジュールは特に、記載したプロセス／アルゴリズムを実行するように構成され、記載したプロセス／アルゴリズムを実行するように構成されたプロセッサによって実施され、プロセッサによる実施のためにコンピュータ可読媒体内に記憶された１つまたは複数のハードウェア構成要素、または何らかのそれらの組合せであり得る。
【００７９】
図１３は、処理システム１３１４を採用する装置１０２のためのハードウェア実装形態の一例を示す図である。処理システム１３１４は、バス１３２４によって全般的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュール、モジュール１２０２、１２０４、１２０８、１２１０と、コンピュータ可読媒体１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００８０】
処理システム１３１４は、トランシーバ１３１０に結合できる。トランシーバ１３１０は、１つまたは複数のアンテナ１３２０に結合する。トランシーバ１３１０は、伝送媒体上で様々な他の装置と通信するための手段を与える。処理システム１３１４は、コンピュータ可読媒体１３０６に結合されたプロセッサ１３０４を含む。プロセッサ１３０４は、コンピュータ可読媒体１３０６上に記憶されたソフトウェアの実行を含む一般的な処理を担当する。ソフトウェアは、プロセッサ１３０４によって実行されたとき、処理システム１３１４に、任意の特定の装置のための上記で説明した様々な機能を実行させる。コンピュータ可読媒体１３０６はまた、ソフトウェアを実行するときにプロセッサ１３０４によって操作されるデータを記憶するために使用され得る。処理システムは、モジュール１２０２とモジュール１２０４とモジュール１２０８とモジュール１２１０とをさらに含む。モジュールは、コンピュータ可読媒体１３０６、プロセッサ１３０４に結合した１つまたは複数のハードウェアモジュール、または何らかのそれらの組合せの中に常駐する／記憶されたプロセッサ１３０４の中で実行中のソフトウェアモジュールであり得る。処理システム１３１４はＵＥ６５０の構成要素であってもよく、メモリ６６０、および／またはＴＸプロセッサ６６８とＲＸプロセッサ６５６とコントローラ／プロセッサ６５９のうちの少なくとも１つを含み得る。
【００８１】
一構成では、ワイヤレス通信のための装置１０２／１０２’は、ＵＥのサウンディング基準信号（ＳＲＳ：sounding reference signal）モードを再構成するための第１のメッセージを送信するための手段と、物理ＵＥアンテナポートの数よりも多いＳＲＳ送信ポートの数を示すことができるフィールドの中で特定されるＳＲＳ送信ポートを、第１のメッセージの中で示すための手段とを含む。一態様では、４つの物理ＵＥアンテナポートが存在する場合、示されるＳＲＳ送信ポートの数は６に等しい。別の態様では、２つの物理ＵＥアンテナポートが存在する場合、示されるＳＲＳ送信ポートの数は３に等しい。さらに別の態様では、ＳＲＳモードは、単一のアンテナポートを使用する第１のアップリンク送信モード、または複数のアンテナポートを使用する第２のアップリンク送信モードのいずれかに関連する。上述の手段は、上述の手段によって具陳される機能を実行するように構成された、装置１０２および／または装置１０２’の処理システム１３１４の上述のモジュールのうちの１つまたは複数であり得る。上記で説明したように、処理システム１３１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００８２】
開示したプロセスにおけるステップの特定の順序または階層は、例示的な手法の一例であることを理解されたい。設計上の選好に基づいて、プロセスにおけるステップの特定の順序または階層は並べ替えることができることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００８３】
以上の説明は、本明細書で説明された様々な態様を、当業者が実行できるようにするために提供される。これらの態様に対する様々な変更が当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「１つのおよびただ１つの」を意味するものではなく、「１つまたは複数の」を意味するものである。別段に明記されていない限り、「いくつかの」という用語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に記載されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2013546272.tif 000004
【図２】
2013546272.tif 000005
【図３】
2013546272.tif 000006
【図４】
2013546272.tif 000007
【図５】
2013546272.tif 000008
【図６】
2013546272.tif 000009
【図７】
2013546272.tif 000010
【図８】
2013546272.tif 000011
【図９Ａ】
2013546272.tif 000012
【図９Ｂ】
2013546272.tif 000013
【図１０】
2013546272.tif 000014
【図１１】
2013546272.tif 000015
【図１２】
2013546272.tif 000016
【図１３】
2013546272.tif 000017
【国際調査報告】
2013546272.tif 000018
2013546272.tif 000019
2013546272.tif 000020
2013546272.tif 000021
2013546272.tif 000022